(57)【要約】【課題】高さが低い収納箱に収納した場合であっても、収納箱からの取出し性が良好で、且つ、柔らかく、手触り感が良いティシュペーパー製品を提供する。【解決手段】複数枚のティシュペーパーを２枚１組として所謂ポップアップ方式で折り畳んだものを略直方体の収納箱に収納したティシュペーパー製品において、前記ティシュペーパーは、セルロースパルプを主原料としてなり、さらに前記収納箱を形成する板紙とのＪＩＳ  Ｋ  ７１２５で規定する静摩擦係数が０．４〜０．５であり、且つ動摩擦係数が０．３５〜０．４５であることを特徴とするティシュペーパー製品。【特許請求の範囲】
【請求項１】
複数枚のティシュペーパーを２枚１組として所謂ポップアップ方式で折り畳んだものを略直方体の収納箱に収納したティシュペーパー製品において、
前記ティシュペーパーはセルロースパルプを主原料としてなり、さらに前記収納箱は板紙から形成され、前記ティシュペーパーと前記収納箱上面の内側面とのＪＩＳ  Ｋ  ７１２５で規定する静摩擦係数が０．４〜０．５であり、且つ動摩擦係数が０．３５〜０．４５であることを特徴とするティシュペーパー製品。
【請求項２】
前記セルロースパルプが、少なくとも一部にドライパルプを含むことを特徴とする請求項１記載のティシュペーパー製品。
【請求項３】
前記セルロースパルプが、少なくとも一部に蒸解後に元素状塩素を使用しないで漂白処理したパルプを含むことを特徴とする請求項１または請求項２に記載のティシュペーパー製品。
【請求項４】
前記セルロースパルプが、少なくとも一部に漂白処理工程で酸処理したパルプを含むことを特徴とする請求項１〜請求項３のいずれかに記載のティシュペーパー製品。
【請求項５】
前記収納箱の内側の高さ寸法が４０〜６０ｍｍであることを特徴とする請求項１〜請求項４のいずれかに記載のティシュペーパー製品。
【発明の詳細な説明】
【０００１】
【発明の属する技術分野】
本発明は、収納箱に収納したティシュペーパー製品である所謂ボックスフェイシャル用ティシュペーパー（以下、単にティシュペーパーと言う場合がある）に関するものである。さらに詳しくは、本発明は、柔らかくて手触り感に優れ、収納箱からの取出し性に優れたティシュペーパーに関するものである。
【０００２】
【従来の技術】
従来から、ティシュペーパーは、２枚１組として一回折って所謂ポップアップ方式で折り畳んだ束が収納箱に収納されている。そして、収納箱には、その上面に取出口が形成され、さらに、一般に、取出口の内側がスリットを有するフィルムで覆われており、ティシュペーパーはスリットを通して順次取出せるようになっている。このようなティシュペーパーは、柔らかく、手触り感が良く、伸縮性があり、吸収性に優れ、さらに取出す時に破断することのない十分な強度が要求されている。
【０００３】
また、従来、テッシュペーパーの収納箱は、２００組４００枚入りで、その高さが６５〜８５ｍｍのものが主流であったが、近年、消費者が持ち運び易く、収納スペースが少なくて済み、さらに流通業者の利便性が向上する等の理由により、高さ５０ｍｍ程度と低いものが多くなっている（例えば、特許文献１）。それに伴い、これらのコンパクト化製品は、一般的には、収納箱上部に形成されていた空間が殆どなくなり、初期の取り出し時に、収納箱の上面板の内側面とティシュペーパーとの摩擦力が大きくなり、時として、取り出し時に破れ易い状況が生じている。また、ティシュペーパーも２枚重ねの厚さが、従来９０〜１０５μｍであったものが、７５μｍ程度に薄くなっており、坪量も減らしたものが多くなっている。そのため、テッシュペーパーの強度は低下しがちであり、従来品以上の強度アップは容易でなく、この点も、取り出し時にテッシュペーパーを破れやすくする要因と考えられる。
【０００４】
このように、収納箱を薄くした場合に、ティシュペーパーを破れることなく良好に取出す、所謂ティシュペーパーの取出し性を改善するため、収納箱の取出口の最適形状を規定する方法（特許文献１）、収納箱の取出し口に形成されるスリットの長さを規定する方法（特許文献１、特許文献２）、ティシュペーパーの横方向の引張強さを規定する方法（特許文献１）、ティシュペーパーの縦方向と横方向の引張強さを規定する方法（特許文献３）、収納箱に収納する全ティシュペーパーの束の厚さについて最適の数値を規定する方法（特許文献１の請求項９）等が提案されている。
しかしながら、一般に、ティシュペーパーは、一箱当たり２枚１組で２００組（すなわち４００枚）の束を圧縮した状態で収納箱に収納されており、保存中に弾性復元力によりティシュペーパーが膨らみ、収納箱を押し上げる傾向にあり、上記の方法では時としてティシュペーパーの取出し性が十分でない場合があった。
【０００５】
【特許文献１】
特開２００１−２８６４１４号公報（請求項１、請求項２、請求項４、請求項５、請求項９、０００１〜０００５段）
【特許文献２】
特開２００２−２４９１８３号公報（請求項１、０００１〜０００７段）
【特許文献３】
特開２００２−２４９９９４号公報（請求項１、０００１〜０００７段）
【０００６】
【発明が解決しようとする課題】
本発明は、上記従来のティシュペーパー製品の有する問題点を克服するため、ティシュペーパーと収納箱上面との適正な摩擦係数に関して明らかにすると共に、収納箱からの取出し性が良好で、柔らかく、手触り感が良いティシュペーパーを提供するものである。
【０００７】
【課題を解決するための手段】
上記、従来のティシュペーパーの有する問題点を解決するための本発明は、以下の各発明を包含する。
（１）複数枚のティシュペーパーを２枚１組として所謂ポップアップ方式で折り畳んだものを略直方体の収納箱に収納したティシュペーパー製品において、
前記ティシュペーパーはセルロースパルプを主原料としてなり、さらに前記収納箱は板紙から形成され、前記ティシュペーパーと前記収納箱上面の内側面とのＪＩＳ  Ｋ  ７１２５で規定する静摩擦係数が０．４〜０．５であり、且つ動摩擦係数が０．３５〜０．４５であることを特徴とするティシュペーパー製品。
【０００８】
（２）前記セルロースパルプが、少なくとも一部にドライパルプを含むことを特徴とする（１）項記載のティシュペーパー製品。
【０００９】
（３）前記セルロースパルプが、少なくとも一部に蒸解後に元素状塩素を使用しないで漂白処理したパルプを含むことを特徴とする（１）項または（２）項に記載のティシュペーパー製品。
【００１０】
（４）前記セルロースパルプが、少なくとも一部に漂白処理工程で酸処理したパルプを含むことを特徴とする（１）項〜（３）項のいずれかに記載のティシュペーパー製品。
【００１１】
（５）前記ティシュペーパーのＪＩＳ  Ｐ  ８１３３で規定する冷水抽出法で測定した抽出ｐＨが６．６〜７．４であることを特徴とする（１）項〜（４）項のいずれかに記載のティシュペーパー製品。
【００１２】
（６）前記収納箱の内側の高さ寸法が４０〜６０ｍｍであることを特徴とする（１）項〜（５）項のいずれかに記載のティシュペーパー製品。
【００１３】
【発明の実施の形態】
本発明のティシュペーパー製品は、２枚１組としてポップアップ方式で折り畳んだ複数枚のティシュペーパーの束を収納箱に収納したものであり、ティシュペーパーは、セルロースパルプを主原料としてなり、さらに収納箱を形成する板紙とのＪＩＳ  Ｋ  ７１２５で規定する静摩擦係数が０．４〜０．５であり、且つ動摩擦係数が０．３５〜０．４５である。この様な特性を有するティシュペーパー製品は、これを収納箱から取出す場合、特に、収納箱の高さが低い場合でも、取出し初めに破れることがなく良好に取出すことができる。
静摩擦係数及び動摩擦係数が各々０．５及び０．４５を越えて大きくなると、ティシュペーパーの取出し性が悪くなり、ティシュペーパーが破れ易くなる。一方、静摩擦係数が０．４未満、及び動摩擦係数が０．３５未満になると、ティシュペーパーが滑り易くなり、折り畳み工程、断裁工程などでティシュペーパーが滑り、蛇行等の走行性不良を起こし易くなり、加工適正が悪くなる。
【００１４】
この場合、セルロースパルプとして、木材等のリグノセルロース材料を蒸解して得られるスラリー状態の化学パルプ（スラッシュパルプ）をそのまま用いないで、これを脱水、乾燥して得られるドライパルプを多く用いると、滑り性が良くなり、収納箱からの取出し性に優れ、さらに、柔らかくて手触り感に優れたティシュペーパーを得ることができる。
【００１５】
さらに、セルロースパルプとして、クラフト蒸解後に元素状塩素を使用せずに漂白処理したパルプを用いると、元素状塩素で漂白処理したパルプを用いた場合よりもパルプ繊維の傷みが少ないため、より強度の優れたティシュペーパーを得ることができ、また、ティシュペーパーに遊離の塩素が含まれないため、衛生面及び環境面からも好ましい。
【００１６】
また、セルロースパルプとして、漂白処理工程で酸処理したパルプを用いることにより、退色性の少ない、白色度の高いパルプが得られるため、良好な白色度を有するティシュペーパーを得ることができる。
【００１７】
また、本発明のティシュペーパーは、その抽出ｐＨが６．６〜７．４になるように抄紙系のｐＨを調整して抄紙することが好ましい。ティシュペーパーの抽出ｐＨがこの範囲になるように抄紙系のｐＨを調整すると、ドライヤー面からのペーパーウエブの剥離性が適正な範囲となり、その結果、良好なクレープが付与されるため、柔らかくて手触り感の良い製品が得られる。
【００１８】
本発明のティシュペーパーは、収納箱を形成する板紙とのＪＩＳ  Ｋ  ７１２５で規定する摩擦係数において、静摩擦係数が０．４〜０．５の範囲にあり、且つ動摩擦係数が０．３５〜０．４５の範囲にある。
本発明において、上記の摩擦係数を得るためには、ティシュペーパーを構成するスラッシュパルプとドライパルプの配合比率を調整するなどしてパルプ自体の滑り性を調整する方法、パルプ自体に柔軟剤や滑剤を添加して抄紙する方法、種々の滑り性を有するパルプを適宜組合せる（混合して抄紙する）ことで最適な摩擦係数を得る方法、ティシュペーパーに柔軟剤や滑剤を吹付け塗布する方法等がある。また、収納箱側の摩擦係数調整方法として、収納箱を形成する板紙の箱の内面に相当する面に滑剤を塗布する方法、取出し口のフィルムの内面に滑剤を塗布し、取出し口のフィルムとティシュペーパーの滑り性を向上させ、取出し性を改善する方法、収納箱の板紙を構成するパルプの種類を変更する方法、等がある。
【００１９】
本発明において、上記の摩擦係数を得るために、パルプに柔軟剤や滑剤を添加する方法の場合には、パルプ絶乾量に対して０．０１〜５質量％配合することが好ましい。
また、ティシュペーパーに柔軟剤や滑剤を吹付け塗布する方法の場合には、濃度が０．０１〜５％である塗布液を有効成分の塗布量が０．１〜３ｇ／ｍ２  となるように塗布することが好ましい。
さらに、収納箱の内面に滑剤を塗布する方法では、濃度が０．０１〜５質量％である塗布液を滑剤の塗布量が０．１〜１０ｇ／ｍ２  となるように塗布することが好ましい。
【００２０】
本発明において、ティシュペーパーを製造するためのセルロースパルプとしては、広葉樹、針葉樹からなる木材チップ等のリグノセルロース材料を蒸解して得られる化学パルプから製造されるスラリー状態のままのスラッシュパルプ、このスラッシュパルプを脱水、乾燥して得られるドライパルプ、あるいは古紙を脱墨処理して得られる脱墨古紙パルプ等を使用することができるが、このうち、ドライパルプを用いることが好ましく、ドライパルプを３０〜１００質量％配合することにより、適正な範囲の摩擦係数を有するティシュペーパーを得ることができる。
ドライパルプの配合量が３０質量％未満になると、得られるティシュペーパーの摩擦係数が大きくなり、取出し性が悪くなる。
【００２１】
本発明において、ティシュペーパーに使用されるセルロースパルプは、木材を蒸解して得ることができる。蒸解法としてはクラフト蒸解、ポリサルファイド蒸解、ソーダ蒸解、アルカリサルファイト蒸解等の公知の蒸解法を用いることができるが、パルプ品質、エネルギー効率等を考慮すると、クラフト蒸解法、または、ポリサルファイド蒸解が好適に用いられる。
例えば、木材をクラフト蒸解する場合、クラフト蒸解液の硫化度は５〜７５％、好ましくは１５〜４５％、有効アルカリ添加率は絶乾木材重量当たり５〜３０質量％、好ましくは１０〜２５質量％、蒸解温度は１３０〜１７０℃であり、蒸解方式は、連続蒸解法あるいはバッチ蒸解法のどちらでもよく、連続蒸解釜を用いる場合は、蒸解液を多点で添加する修正蒸解法でもよく、その方式は特に問わない。
【００２２】
本発明においては、蒸解後に一般的に用いられている、アルカリ酸素脱リグニン工程を設けることが可能であり、さらに、酵素処理工程を設けることが可能である。前記酵素処理工程で使用される酵素は、パルプと反応させることにより、ＪＩＳ  Ｐ  ８２０６で測定されるパルプの過マンガン酸カリウム価が低下するものであれば、いかなる酵素でも良い。たとえば、キシラナーゼ、リグニンパーオキシダーゼ、マンガンパーオキシダーゼ、ラッカーゼ等が知られいるが、勿論これらの酵素でも良く、未だ知られていない酵素でも該当する酵素であれば良いことは言うまでもない。また、これらの酵素は単独で用いてもよく、あるいは複合、混合して、さらには複数回に分けて使用することもできる。これらの酵素のうち、キシラナーゼと呼ばれるキシラン分解酵素は、漂白促進効果も同時に有しており、好適に用いられる。
【００２３】
本発明において、酸処理は、反応初期ｐＨ１．５〜４．５が良い。更に好ましくは、反応初期ｐＨ２．０〜４．０が良い。反応初期ｐＨが１．５未満では、パルプ強度への悪影響が大きく、一方、ｐＨが４．５を越えて高くなると、ヘキセンウロン酸の除去効果が少なくなると同時に工程内の蓚酸カルシウムのスケーリングが激しくなる。
また、酸処理の温度は、６０〜１２０℃、好ましくは６５〜１０５℃であり、温度が６０℃未満ではヘキセンウロン酸の除去効果が少なく、一方、１２０℃を越えて高くなるとパルプ強度への悪影響が大きくなる。
更に、酸処理のリテンションは、その効果とパルプ繊維へのダメージを考えると、３０〜３００分が良く、処理濃度は、一般的な工程内濃度であれば特に制限は無いが、８〜１５質量％の中濃度法、または２５〜４０質量％の高濃度法が好ましい。
一方、酸処理においては、過酸化水素を同時に添加しても良いが、添加率は、絶乾パルプ当たり、０．０５〜５質量％が良く、効果やパルプ繊維へのダメージを考えると０．１〜２％がより好ましい。
【００２４】
本発明の酸処理に用いられる酸としては、酸処理時のｐＨを２〜４に調整できるものであれば無機酸、有機酸のいずれも用いることができるが、硫酸、硝酸、塩酸、亜硫酸、亜硝酸等の無機酸、中でも硫酸が入手と取り扱いが容易であるため好適に用いられる。その他、酸処理については、一般的な処方が用いられる。
【００２５】
本発明において、多段漂白処理工程は、初段には二酸化塩素漂白段（Ｄ）、あるいは、オゾン漂白段（Ｚ）、あるいは、オゾン漂白と二酸化塩素漂白を連続して組み合わせた漂白段（Ｚ／Ｄ）等が好適に用いられ、二段目にはアルカリ抽出段（Ｅ）が用いられ、三段目以降には、二酸化塩素、アルカリ過酸化水素等の組み合わせが好適に用いられる。
初段の二酸化塩素漂白段に用いられる二酸化塩素は、当業者にとって公知の多くの二酸化塩素発生法より得られる二酸化塩素から選ぶことができるが、好適には、塩素を副生しない発生法から得られる二酸化塩素が用いられる。また、初段の二酸化塩素段でのｐＨは２〜６、好ましくは２．５〜４であり、ｐＨを調整するために任意の酸またはアルカリを補助的に添加することも可能である。また、二酸化塩素処理時間、処理温度、パルプ濃度等のその他の二酸化塩素漂白条件は、全て公知の条件を使用することができる。
【００２６】
二酸化塩素漂白段に続くアルカリ抽出段では、当業者にとって公知の多くのアルカリ化合物から選ぶことができるが、苛性ソーダが最も使用しやすく、好適に使用される。また、アルカリ抽出段では、酸素および／または過酸化水素を併用することもできる。その他、アルカリ抽出段は、公知の条件により行うことができる。
【００２７】
多段漂白工程で用いられる、二酸化塩素漂白段、アルカリ抽出段に続く三段目以降の漂白段では、塩素および次亜塩素酸塩以外の漂白薬品であれば如何なる漂白薬品を用いても良いが、二酸化塩素、アルカリ過酸化水素、オゾン、過酸、等の一般的な漂白薬品が好適に用いられる。三段目以降の段数も特に限定されるわけではないが、エネルギー効率、生産性等を考慮すると、合計で三段あるいは四段で終了するのが好適である。
【００２８】
本発明において使用されるパルプを製造する際に、漂白工程で使用される薬品としては、塩素および次亜塩素酸塩を除く、酸処理（Ａ）、酸性領域での過酸化水素（Ａ／Ｐ）、二酸化塩素（Ｄ）、アルカリ（Ｅ）、酸素（Ｏ）、過酸化水素（Ｐ）、オゾン（Ｚ）、有機過酸等の公知の漂白剤と漂白助剤を挙げることができる。漂白シーケンスとしては、Ａ−Ｄ−Ｅ／Ｏ−Ｄ、Ａ−Ｄ−Ｅ／Ｏ−Ｐ−Ｄ、 Ａ−Ｄ−Ｅ／Ｏ−Ｄ−Ｄ、Ａ−Ｄ−Ｅ／Ｏ−Ｄ−Ｐ、Ａ−Ｄ−Ｅ／ＯＰ−Ｄ、Ａ−Ｄ−Ｅ／Ｏ−Ｚ−Ｄ、Ａ−Ｚ−Ｅ／Ｏ−Ｄ、Ａ−Ｚ−Ｅ／ＯＰ−Ｄ、Ａ−Ｚ−Ｅ／ＯＰ−Ｄ−Ｐ、Ａ−Ｚ−Ｅ／ＯＰ−Ｐ−Ｄ、Ａ−Ｚ−Ｄ−Ｅ／Ｏ−Ｄ、Ａ−Ｚ−Ｄ−Ｅ／ＯＰ−Ｄ、Ａ−Ｚ／Ｄ−Ｅ／Ｏ−Ｄ、Ａ−Ｚ／Ｄ−Ｅ／ＯＰ−Ｄ等を挙げることができる。また、酸処理（Ａ）を酸性領域の過酸化水素処理（Ａ／Ｐ）に置換しても良い。
一方、多段漂白工程中にエチレンジアミンテトラ酢酸（ＥＤＴＡ）、ジエチレントリアミンペンタ酢酸（ＤＴＰＡ）等によるキレート剤処理段を挿入しても良い。
【００２９】
本発明において、ティシュペーパーの抄紙機としては、円網、短網、ツインワイヤー等のヤンキーマシンが利用できる。ヤンキードライヤー上でウエットクレープ又はドライクレープをつけるか、若しくはウエットクレープをつけ、更にドライクレープをつけることによってティシュペーパーの原紙が得られる。ボックス入りの化粧用ティシュペーパー等の場合、これを２枚重ねて、通常上下１対の金属ロールからなるカレンダーで処理してティシュペーパーが製造される。
【００３０】
抄紙方法としては、従来型の全パルプを混合して均一な１つの層として抄紙する方法、及びいわゆる積層ティシュペーパーである２層以上を重ね合わせて１枚とする抄紙方法のいずれも適用することができるが、後者の抄紙方法がより好ましい。
【００３１】
積層ティシュペーパーは３層以上を積層すると、地合いが悪くなって品質が低下する可能性があるので、２層からなるティシュペーパーが現在主流である。ティシュペーパーを２層とし、その１層が広葉樹パルプを含み、該パルプを含む層をヤンキードライヤーの鏡面に接して乾燥させ、次いで該ヤンキードライヤーの鏡面に接した広葉樹パルプを含む層が外側に、即ち使用者が手に触れる面が外側になるように２枚のティシュペーパーを配置すると、手触り感が一層向上する。
【００３２】
【実施例】
以下に実施例及び比較例を挙げて本発明をより具体的に説明するが、勿論本発明はこれによって何等制限されるものでない。また、本実施例、比較例中で用いている「部」は、「質量部」を意味する。
また、各実施例及び比較例で得られたティシュペーパーについて行なった評価及び評価法は下記の通りである。
【００３３】
摩擦係数
ＪＩＳ  Ｋ  ７１２５：１９９９で規定する方法によりティシュペーパーと収納箱を形成する板紙との摩擦係数を測定した。
すなわち、水平式摩擦測定機（東洋精機製、ＴＲ−２型）を用いて、テーブル（測定台）に収納箱形成用の板紙を固定し、６３ｍｍ×６３ｍｍの滑り片（錘）の底面にティシュペーパーを貼り付けて固定し、ロードセル２Ｋｇｆ、滑り片の重さ２００ｇ、テーブルの移動速度１３３ｍｍ／ｍｉｎ、移動（摩擦）距離２０ｍｍの条件で静摩擦係数及び動摩擦係数を測定した。
【００３４】
ティシュペーパーの取出し性
収納箱に収納した２００組のティシュペーパーのうち、最初の２０組を取出し、破れた組数を数えた。この操作を１０回実施し、その平均値で評価した。
【００３５】
ソフトネス
Ｊ．ＴＡＰＰＩ  紙パルプ試験法Ｎｏ．３４−８０．衛生用薄用紙の柔らかさ試験方法により測定した。すなわち、ティシュペーパーのシート（２００×２００ｍｍ）を一定の隙間（６．３５ｍｍ）に押し入れるのに必要な仕事量をＨａｎｄｌｅ−Ｏ−Ｍｅｔｅｒ（熊谷理機工業社製）により測定し、ｍＮ／１０ｃｍで表示した。なお、試料片の押し入れは、試料の流れに対し直角（縦方向）に折り曲げて行った。
【００３６】
手触り感
男性４人、女性６人で官能評価し、次の区分で表示した。
◎：非常に良い  ○：良い  △：普通  ×：悪い
【００３７】
実施例１
原料パルプとしては、広葉樹晒クラフトパルプ（ＬＢＫＰ）として市販パルプ（ドライパルプ）（ＰＴテル社製、品名：アカシア）３０部と自製パルプ（スラッシュパルプ）２０部を配合したものを用い、針葉樹晒クラフトパルプ（ＮＢＫＰ）として市販パルプ（ドライパルプ）（ＨＳＰＰ社製、品名：ＨＳ−３００）３０部と自製パルプ（スラッシュパルプ）２０部を配合したものを用い、各々フリーネス５６０ｍｌ（ＣＳＦ）のものを使用した。
なお、自製ＬＢＫＰとしては、アルカリ酸素脱リグニン処理後に硫酸を用いて酸処理（ｐＨ３、温度：９０℃、保持時間：１２０分）を行い、Ｄ−Ｅ／Ｏ−Ｄの漂白工程で漂白した白色度８４．２％のパルプを使用し、また、自製ＮＢＫＰとしては、アルカリ酸素脱リグニン処理後にＤ−Ｅ／Ｏ−Ｐ−Ｄの漂白工程で漂白した白色度８４．２％のパルプを使用した。
各々の原料パルプに湿潤紙力増強剤（品名：アラフィックス２５５、荒川化学工業製）を絶乾パルプ質量当たり０．１質量％添加し、次いで、得られる製品ティシュペーパーの抽出ｐＨが６．６〜７．４の範囲になるように抄紙系のｐＨを水酸化ナトリウム溶液で調整した後、ツインワイヤータイプの２層抄き合せ式のヤンキー抄紙機により１７００ｍ／分の速度で抄紙してＬＢＫＰの層とＮＢＫＰの層を積層し、ＬＢＫＰの層がヤンキードライヤーの鏡面に接するようにして乾燥して、坪量が１１．５ｇ／ｍ２ 、ＬＢＫＰとＮＢＫＰの使用比率が絶乾量で５０：５０のティシュペーパーを抄造した。
得られたティシュペーパーをクレーピングドクターによりドライヤー面から剥がし、巻き取りリールとの間に速度差を設けることにより、２４％のドライクレープを付与し、次いで、ヤンキードライヤーの鏡面に接したＬＢＫＰの層が外側になるように２枚重ねにして化粧用ティシュペーパーを製造した。
次いで、得られたティシュペーパーをポップアップ方式で折り畳んで２００組（４００枚）の束を形成した後、所定寸法に断裁し、内側の高さ寸法が５０ｍｍの収納箱に収納してティシュペーパー製品を作製した。なお、収納箱は、白板紙（品名：ＵＦコート３３０ｇ、王子製紙製）を用いて形成した。
また、ティシュペーパーと白板紙との静摩擦係数は０．４６であり、動摩擦係数は０．４１であった。
【００３８】
実施例２
ＬＢＫＰとして市販パルプ４５部と自製パルプ５部を配合したものを用い、ＮＢＫＰとして市販パルプのみを用いた以外は、実施例１と同様にしてティシュペーパー製品を作製した。
なお、ティシュペーパーと白板紙との静摩擦係数は０．４３であり、動摩擦係数は０．３８であった。
【００３９】
実施例３
ＬＢＫＰとして市販パルプ１５部と自製パルプ３５部を配合したものを用い、ＮＢＫＰとして市販パルプ１５部と自製パルプ３５部を配合したものを用いた以外は、実施例１と同様にしてティシュペーパー製品を作製した。
なお、ティシュペーパーと白板紙との静摩擦係数は０．４９であり、動摩擦係数は０．４５であった。
【００４０】
実施例４
ＬＢＫＰとして市販パルプ１０部と自製パルプ４０部を配合したものを用い、ＮＢＫＰとして市販パルプ１０部と自製パルプ４０部を配合したものを用い、ＬＢＫＰ、ＮＢＫＰそれぞれに滑剤（品名：ネオソフターＳＯＦＴ−ＣＡＴ、日新化学研究所製）を対パルプ０．２質量％配合した以外は、実施例１と同様にしてティシュペーパー製品を作製した。
なお、ティシュペーパーと白板紙との静摩擦係数は０．４１であり、動摩擦係数は０．３６であった。
【００４１】
比較例１
ＬＢＫＰとして市販パルプ１０部と自製パルプ４０部を配合したものを用い、ＮＢＫＰとして市販パルプ１０部と自製パルプ４０部を配合したものを用いた以外は、実施例１と同様にしてティシュペーパー製品を作製した。
なお、ティシュペーパーと白板紙との静摩擦係数は０．５４であり、動摩擦係数は０．４９であった。
【００４２】
比較例２
ＬＢＫＰとして市販パルプ１０部と自製パルプ４０部を配合したものを用い、ＮＢＫＰとして市販パルプ１０部と自製パルプ４０部を配合したものを用い、得られたテッシュペーパーの原紙を２枚重ねにする工程で、滑剤（品名：ネオソフターＳＯＦＴ−ＣＡＴ、日新化学研究所製）を１．０ｇ／ｍ２  吹付け塗布した以外は、実施例１と同様にしてティシュペーパー製品を作製した。
なお、ティシュペーパーと白板紙との静摩擦係数は０．３７であり、動摩擦係数は０．３１であった。
【００４３】
各実施例及び比較例で得られたティシュペーパーについて行った各特性の評価結果を表１に示す。
表１から明らかなように、各実施例の本発明のティシュペーパー製品は、収納箱からの取出し性に優れ、柔らかくて手触り感が良好であった。これに対し、比較例１のものは、収納箱からの取出し性が悪く、手触り感が劣り、比較例２のものは、ティシュペーパーが滑り易く、折り畳み工程あるいは収納箱への収納工程でティシュペーパーの束が崩れるトラブルが発生する場合があった。これらの例により、本発明の効果が確認された。
【００４４】
【表１】
2004187930.tif 000002
【００４５】
【発明の効果】
本発明のティシュペーパー製品は、ティシュペーパーと収納箱を形成する板紙との間に特定の静摩擦係数と動摩擦係数を有するものであり、収納箱の高さ寸法を低くし、ティシュペーパー１枚当たりの箱高さ寸法を低くした所謂コンパクト化製品とした場合でも、収納箱からの取出し性に優れ、さらに、柔らかく、手触り感のよいものである。